(57)【特許請求の範囲】
【請求項１】
電子機器であって、
複数の情報統合画面情報を格納する記憶部と、
番組データを受信する受信手段と、
外部から情報統合画面の表示を指示するための信号を受信した場合に、情報統合画面の表示を命令するための表示命令を送信する送信手段と、
前記複数の情報統合画面情報に対して、それぞれ関連付けられるキー情報を生成する生成手段と、
前記送信手段が表示命令を送信した場合、前記複数の情報統合画面情報の内から、前記電子機器から取得される機器内情報と、各情報統合画面情報に関連付けられたキー情報とに基づいて一つの情報統合画面情報を選択する選択手段と、
前記選択手段によって選択された情報統合画面情報に応じた情報統合画面を表示画面に表示するための表示データを生成する表示データ生成手段と
を具備する電子機器。
【請求項２】
前記選択手段は、前記機器内情報と、前記キー情報とに基づいて、各情報統合画面情報に関連付けられる関連度を演算し、最も高い関連度に関連付けられている情報統合画面情報を選択する
請求項１記載の電子機器。
【請求項３】
前記記憶部に格納されている情報統合画面情報に応じて表示される情報統合画面の表示時刻に応じて複数の時間帯における各情報統合画面情報の参照率を演算する演算部を更に具備し、
前記選択手段は、前記最も高い関連度が閾値より低い場合、前記表示命令が送信された時刻に対応する時間帯において参照率が最も高い情報統合画面情報を選択する
請求項２記載の電子機器。
【請求項４】
前記機器内情報は、前記表示命令が送信された時の時刻、前記受信手段によって受信される頻度が高い番組データのジャンルまたは当該番組データから得られる単語、前記番組データに含まれるデータを用いた検索時に使用されたキーワードまたはジャンル、前記検索時に検索された番組データの情報、検索サイトを用いた検索時に使用されたキーワード、検索サイトを用いて検索された番組データの情報、前記表示命令が送信された時に前記番組データに応じて表示画面に表示されていたオブジェクト、および前記番組データに含まれる音声データから音声認識によって取り出された文字データの少なくとも一つを含む
請求項１に記載の電子機器。
【請求項５】
電子機器の表示方法であって、
前記電子機器は、番組データを受信し、
前記電子機器は、情報統合画面の表示を命令するための表示命令を送信し、
前記電子機器は、記憶部に格納されている複数の情報統合画面情報に対して、それぞれ関連付けられるキー情報を生成し、
前記電子機器は、前記表示命令の送信に応じて、前記複数の情報統合画面情報の内から、前記電子機器から取得される機器内情報と、各情報統合画面情報に関連付けられたキー情報とに基づいて一つの情報統合画面情報を選択し、
前記電子機器は、前記選択された情報統合画面情報に応じた情報統合画面を表示画面に表示する
表示方法。
【請求項６】
前記電子機器は、前記機器内情報と、前記キー情報とに基づいて、各情報統合画面情報に関連付けられる関連度を演算し、最も高い関連度に関連付けられている情報統合画面情報を選択する
請求項５記載の表示方法。
【請求項７】
前記電子機器は、前記記憶部に格納されている情報統合画面情報に応じて表示される情報統合画面の表示時刻に応じて複数の時間帯における各情報統合画面情報の参照率を演算し、
前記電子機器は、前記最も高い関連度が閾値より低い場合、前記表示命令が送信された時刻に対応する時間帯において参照率が最も高い情報統合画面情報を選択する
請求項６記載の表示方法。
【請求項８】
前記機器内情報は、前記表示命令が送信された時の時刻、前記受信手段によって受信される頻度が高い番組データのジャンルまたは当該番組データから得られる単語、前記番組データに含まれるデータを用いた検索時に使用されたキーワードまたはジャンル、前記検索時に検索された番組データの情報、検索サイトを用いた検索時に使用されたキーワード、検索サイトを用いて検索された番組データの情報、前記表示命令が送信された時に前記番組データに応じて表示画面に表示されていたオブジェクト、および前記番組データに含まれる音声データから音声認識によって取り出された文字データの少なくとも一つを含む
請求項５記載の表示方法。
【請求項９】
コンピュータにより実行されるプログラムであって、
番組データを受信する手順と、
情報統合画面の表示を命令するための表示命令を送信する手順と、
記憶部に格納されている複数の情報統合画面情報に対して、それぞれ関連付けられるキー情報を生成する手順と、
前記表示命令の送信に応じて、前記複数の情報統合画面情報の内から、前記コンピュータから取得される機器内情報と、各情報統合画面情報に関連付けられたキー情報とに基づいて一つの情報統合画面情報を選択する手順と、
前記選択された情報統合画面情報に応じた情報統合画面を表示画面に表示するための表示データを生成する手順とを
前記コンピュータに実行させるためのプログラム。
【請求項１０】
前記機器内情報と、前記キー情報とに基づいて、各情報統合画面情報に関連付けられる関連度を演算する手順と、最も高い関連度に関連付けられている情報統合画面情報を選択する手順とを
前記コンピュータに実行させるための請求項９記載のプログラム。
【請求項１１】
前記記憶部に格納されている情報統合画面情報に応じて表示される情報統合画面の表示時刻に応じて複数の時間帯における各情報統合画面情報の参照率を演算する手順と、
前記最も高い関連度が閾値より低い場合、前記表示命令が送信された時刻に対応する時間帯において参照率が最も高い情報統合画面情報を選択する手順と
前記コンピュータに実行させるための請求項１０記載のプログラム。
【請求項１２】
前記機器内情報は、前記表示命令が送信された時の時刻、前記受信手段によって受信される頻度が高い番組データのジャンルまたは当該番組データから得られる単語、前記番組データに含まれるデータを用いた検索時に使用されたキーワードまたはジャンル、前記検索時に検索された番組データの情報、検索サイトを用いた検索時に使用されたキーワード、検索サイトを用いて検索された番組データの情報、前記表示命令が送信された時に前記番組データに応じて表示画面に表示されていたオブジェクト、および前記番組データに含まれる音声データから音声認識によって取り出された文字データの少なくとも一つを含む
請求項９記載のプログラム。
【発明の詳細な説明】
【技術分野】
【０００１】
本発明の実施形態は、一つ以上のＷｅｂページまたはＷｅｂページの特定領域を同時に表示するための表示データを生成する電子機器、表示方法、およびプログラムに関する。
【背景技術】
【０００２】
Ｗｅｂサイトを表示可能なテレビが販売されている。
【先行技術文献】
【特許文献】
【０００３】
【特許文献１】特開２００３−２７１５０２号公報
【発明の概要】
【発明が解決しようとする課題】
【０００４】
一つ以上のＷｅｂページまたはＷｅｂページの特定領域（「Ｗｅｂクリップ」と呼ぶ）が存在するＷｅｂ情報統合画面をディスプレイの表示画面上に表示することが考えられている。Ｗｅｂ情報統合画面内のＷｅｂページまたはＷｅｂクリップの配置位置、大きさ、アドレス等を有する複数個のＷｅｂ情報統合画面データを記憶装置に格納しておいて、後でユーザの操作に応じて選択されたＷｅｂ情報統合画面データに応じたＷｅｂ情報統合画面を表示することも考えられている。ユーザはリモートコントローラを操作することで、Ｗｅｂ情報統合画面データを選択することになるが、リモートコントローラでは選択操作を簡易に行うことが容易ではない。そのため、例えばリモートコントローラにＷｅｂ情報統合画面の表示を指示するための表示ボタンを設け、表示ボタンの操作に応じて最適なＷｅｂ情報統合画面データを自動的に選択するようにすることが望まれている。
【０００５】
本発明の目的は、最適なＷｅｂ情報統合画面データを自動的に選択するようにすることが可能な電子機器、表示方法、およびプログラムを提供することにある。
【課題を解決するための手段】
【０００６】
実施形態によれば、電子機器は、記憶部と、受信手段と、送信手段と、生成手段と、選択手段と、表示データ生成手段とを具備する。記憶部は、複数の情報統合画面情報を格納する。受信手段は、番組データを受信する。送信手段は、外部から情報統合画面の表示を指示するための信号を受信した場合に、情報統合画面の表示を命令するための表示命令を送信する。生成手段は、前記複数の情報統合画面情報に対して、それぞれ関連付けられるキー情報を生成する。選択手段は、前記送信手段が表示命令を送信した場合、前記複数の情報統合画面情報の内から、前記電子機器から取得される機器内情報と、各情報統合画面情報に関連付けられたキー情報とに基づいて一つの情報統合画面情報を選択する。表示データ生成手段は、前記選択手段によって選択された情報統合画面情報に応じた情報統合画面を表示画面に表示するための表示データを生成する。
【図面の簡単な説明】
【０００７】
【図１】第１の実施形態の電子機器のシステム構成の一例を示すブロック図。
【図２】第１の実施形態の電子機器によって表示されるＷｅｂ情報統合画面の一例を示す図。
【図３】図１に示すキー情報取得部がＷｅｂ情報統合画面データからキー情報を取得する例を説明するための図。
【図４】第１の実施形態の電子機器がＷｅｂ情報統合画面を表示する手順の一例を示すフローチャート。
【図５】第２の実施形態の電子機器のシステム構成の一例を示すブロック図。
【図６】図５に示すキー情報取得部がＷｅｂ情報統合画面データからキー情報を取得する例を説明するための図。
【図７】第２の実施形態の電子機器がＷｅｂ情報統合画面を表示する手順の一例を示すフローチャート。
【図８】Ｗｅｂ情報統合画面データからキー情報を取得する例を説明するための図。
【図９】Ｗｅｂ情報統合画面データからキー情報を取得する例を説明するための図。
【図１０】Ｗｅｂ情報統合画面データからキー情報を取得する例を説明するための図。
【図１１】Ｗｅｂ情報統合画面データからキー情報を取得する例を説明するための図。
【図１２】Ｗｅｂ情報統合画面データからキー情報を取得する例を説明するための図。
【図１３】Ｗｅｂ情報統合画面データからキー情報を取得する例を説明するための図。
【発明を実施するための形態】
【０００８】
以下、実施の形態について図面を参照して説明する。
【０００９】
（第１の実施形態）
図１は、第１の実施形態の電子機器のシステム構成を示すブロック図である。この電子機器は、例えばテレビジョン受信機１０として実現される。また、この電子機器は、映像データを保存するためのレコーダ（例えば、ハードディスクレコーダ、ＤＶＤレコーダ）、パーソナルコンピュータ（ＰＣ）、タブレットＰＣ、スレートＰＣ、ＰＤＡ、カーナビゲーション装置、スマートフォン等として実現され得る。
【００１０】
テレビジョン受信機１０は、操作信号受信部１１、制御部１２、ネットワークＩ／Ｆ部１３、Ｗｅｂ情報解析部１４、Ｗｅｂ情報統合画面生成部１５、記憶部１６、放送データ受信部１７、装置内情報取得部１８、キー情報取得部１９、表示画面特定部２０、および表示データ出力部２１等を備えている。
【００１１】
操作信号受信部１１は、リモートコントローラ４０から送信された、ユーザによって操作されたボタンに応じた操作信号を受信し、受信した操作信号に応じた信号を制御部１２に出力する。なお、リモートコントローラにはＷｅｂ情報統合画面の表示を指示するための表示指示ボタンが設けられており、表示指示ボタンが操作された場合に、リモートコントローラ４０は、表示指示信号を送信する。操作信号受信部１１が表示指示受信信号を受信すると、表示指示受信信号を制御部１２に送信する。
【００１２】
ネットワークＩ／Ｆ部１３は、インターネット上のＷｅｂサイトと通信を行って、Ｗｅｂページデータを受信する。Ｗｅｂ情報解析部１４は、ネットワークＩ／Ｆ部１３によって受信されたＷｅｂページデータを解析し、表示画面上に表示される文字や画像などオブジェクトの配置を計算する。
【００１３】
Ｗｅｂ情報統合画面生成部１５は、Ｗｅｂ情報解析部１４の解析結果とリモートコントローラ４０の操作に基づいた操作信号に基づいて、Ｗｅｂ情報統合画面を生成する。表示画面上に表示されるＷｅｂ情報統合画面の一例を図２に示す。図２で示すように、Ｗｅｂ情報統合画面１００内には、複数のＷｅｂページまたはＷｅｂクリップ１０１〜１０４が一画面に配置されている。ユーザは、複数のＷｅｂページまたはＷｅｂクリップ１０１〜１０４の情報を一度に閲覧することが可能になる。
【００１４】
Ｗｅｂ情報統合画面生成部１５は、生成したＷｅｂ情報統合画面のＷｅｂ情報統合画面データ（Ｗｅｂサイトのアドレス、配置位置等）を記憶部１６に格納する。なお、記憶部１６は複数のＷｅｂ情報統合画面データを格納することが可能である。Ｗｅｂ情報統合画面データは、複数のＷｅｂページから生成されることもあれば、単一のＷｅｂページから生成されることもある。また、ＷｅｂページそのものをＷｅｂ情報統合画面と同等のものとすることも可能である。
【００１５】
制御部１２は、操作信号受信部１１から送信された表示指示受信信号を受信すると、放送データ受信部１７および表示画面特定部２０にＷｅｂ情報統合画面を表示させるための表示命令を送信する。
【００１６】
放送データ受信部１７は、表示命令を受信すると、アンテナ５０によって受信している放送波から取得できる放送データを装置内情報取得部１８へと送信する。
【００１７】
装置内情報取得部１８は、表示命令の受信に応じて、受信した放送データに重畳されているＥＰＧ（Electronic Program Guide）データから、現在受信している番組の名称（番組名）を抽出し、番組名を表示画面特定部２０に送信する。
【００１８】
キー情報取得部１９は、記憶部１６に格納されているＷｅｂ情報統合画面データからキー情報を取得する。キー情報取得部１９は、取得したキー情報をＷｅｂ情報統合画面データに対応づけて記憶部１６に格納する。
【００１９】
例えば図３（Ａ）、図３（Ｂ）、および図３（Ｃ）に示すように、Ｗｅｂ情報統合画面２０１，２０２，２０３に対応するＷｅｂ情報統合画面データが記憶部１６に格納されている場合を考える。キー情報取得部１９は、Ｗｅｂ情報統合画面２０１に表示されているＷｅｂページ（Ｗｅｂクリップ）の中から表示面積が大きいＷｅｂページ（Ｗｅｂクリップ）２０１Ａからキー情報を取得する。キー情報取得部１９は、Ｗｅｂ情報統合画面２０２に表示されているＷｅｂページ（Ｗｅｂクリップ）の中から表示面積が大きいＷｅｂページ（Ｗｅｂクリップ）２０２Ａからキー情報を取得する。キー情報取得部１９は、Ｗｅｂ情報統合画面２０３に表示されているＷｅｂページ（Ｗｅｂクリップ）の中から表示面積が大きいＷｅｂページ（Ｗｅｂクリップ）２０３Ａからキー情報を取得する。キー情報は、例えばサイト名である。
【００２０】
表示画面特定部２０は、制御部１２から送信された表示命令を受信した後に装置内情報取得部１８から送信された番組名を受信すると、記憶部１６に格納されている各Ｗｅｂ情報統合画面データと番組名との関連度を算出し、関連度が最も高いＷｅｂ情報統合画面データを選択し、ディスプレイ３０に表示するＷｅｂ情報統合画面を選択し、選択されたＷｅｂ情報統合画面データを表示データ出力部２１に送信する。
【００２１】
例えば、番組名とキー情報とに対し、１文字ずつのパターンマッチで、一致する文字数を関連度とする。「芸能ニュース」という番組名に対し、「芸人情報」、「スポーツ」、「天気予報」というキー情報があった場合、「芸人情報」の関連度は「１」、「スポーツ」および「天気予報」の関連度は０である。
【００２２】
また、例えば単語の類義語を含めたデータベースから、一致するものを検出する。データベースで、意味的に近い物が木構造で表現されるとき、その深さを関連度として用いる。なお、データベースは一般的に用意されているものや、独自のデータベースを構築しても良い。また、データベースはテレビジョン受信機１０上でもインターネット上に配置されたサーバ上に置かれていてもよい。
【００２３】
なお、ある番組のＥＰＧデータを取得した際に、ジャンルやタイトルに使われる単語や出演者名を取得し、これらが番組に関連あるものとして、データベースに登録し、この作業を複数の番組で都度行うことで、シソーラス的にデータベースを構築する。
【００２４】
表示データ出力部２１は、Ｗｅｂ情報統合画面データを受信すると、Ｗｅｂ情報統合画面データに基づいたＷｅｂページの受信をネットワークＩ／Ｆ部１３に命令する。Ｗｅｂ情報解析部１４は、ネットワークＩ／Ｆ部１３によって受信されたＷｅｂページデータを解析し、表示画面上に表示される文字や画像などオブジェクトの配置を計算する。Ｗｅｂ情報統合画面生成部１５は、Ｗｅｂ情報解析部１４の解析結果とＷｅｂ情報統合画面データとに基づいて、１以上のＷｅｂページまたはＷｅｂクリップが配置されたＷｅｂ情報統合画面を表示するためのデータを生成する。表示データ出力部２１は、生成されたデータに基づいてディスプレイ３０の表示画面上に表示するための表示データを生成する。
【００２５】
次に、図４のフローチャートを参照して表示命令が送信されてからＷｅｂ情報統合画面を表示する迄の手順の一例を説明する。
【００２６】
装置内情報取得部１８は、視聴中の番組名を放送番組データに含まれるＥＰＧデータから取得する（ステップ３０１）。装置内情報取得部１８は、取得した視聴中の番組名を表示画面特定部２０に送信する。キー情報取得部１９は、記憶部１６からＷｅｂ情報統合画面データを読み出す（ステップ３０２）。キー情報取得部１９は、Ｗｅｂ情報統合画面データから最大面積のＷｅｂページまたはＷｅｂクリップを選択する（ステップ３０３）。キー情報取得部１９は、選択されたＷｅｂページまたはＷｅｂクリップからキーワード（サイト名）を取得する（ステップ３０４）。キー情報取得部１９は、キーワードをステップ３０２で取得されたＷｅｂ情報統合画面データのキー情報としてＷｅｂ情報統合画面データに関連付けて記憶部１６に書き込む（ステップ３０５）。キー情報取得部１９は、記憶部１６に格納されている全Ｗｅｂ情報統合画面データに対するキー情報を記憶部１６に格納したかを判定する（ステップ３０６）。キー情報を記憶部１６に格納していないと判定した場合（ステップ３０６のＮｏ）、ステップ３０２に戻り別のＷｅｂ情報統合画面データを取得する。キー情報を記憶部１６に格納したと判定した場合（ステップ３０６のＹｅｓ）、表示画面特定部２０は、記憶部１６からＷｅｂ情報統合画面データのキー情報を読み出す（ステップ３０７）。読み出されたキー情報とステップ３０１で取得された番組名との関連度を算出する（ステップ３０８）。表示画面特定部２０は、記憶部１６に格納されている全Ｗｅｂ情報統合画面データに対して関連度を算出したかを判定する（ステップ３０９）。関連度を算出していないと判定した場合（ステップ３０９のＮｏ）、表示画面特定部２０は、ステップ３０７に戻る。関連度を算出したと判定した場合（ステップ３０９のＹｅｓ）、表示画面特定部２０は、算出された関連度の中から最も関連度が高いＷｅｂ情報統合画面データを選択する（ステップ３１０）。表示データ出力部２１は、選択されたＷｅｂ情報統合画面データに応じたＷｅｂ情報統合画面をディスプレイ３０に表示するためのデータを生成する。生成されたデータによってＷｅｂ情報統合画面がディスプレイ３０に表示される（ステップ３１１）。
【００２７】
Ｗｅｂ情報統合画面情報によって表示されるＷｅｂ情報統合画面内のＷｅｂページまたはＷｅｂクリップのサイト名と、視聴していた番組名との関連度を生成し、関連度が一番高いＷｅｂ情報統合画面情報を選択し、選択したＷｅｂ情報統合画面情報に応じたＷｅｂ情報統合画面を表示することで、最適なＷｅｂ情報統合画面を表示させることが可能になる。
【００２８】
（第２の実施形態）
図５は、第２の実施形態のテレビジョン受信機３００の構成を示すブロック図である。  
テレビジョン受信機３００は、操作信号受信部１１、制御部１２、ネットワークＩ／Ｆ部１３、Ｗｅｂ情報解析部１４、Ｗｅｂ情報統合画面生成部１５、記憶部１６、放送データ受信部１７、装置内情報取得部３１８、キー情報取得部３１９、参照率演算部３２１、表示画面特定部３２０、および表示データ出力部２１等を備えている。
【００２９】
装置内情報取得部３１８は、表示命令の受信に応じて、受信した放送データに重畳されているＥＰＧデータから現在受信している番組のジャンルを抽出すると共に、放送データに重畳されている時刻情報を抽出し、ジャンルおよび時刻情報を表示画面特定部３２０に送信する。また、装置内情報取得部３１８は、時刻情報をキー情報取得部３１９に送信する。
【００３０】
参照率演算部３２１は、Ｗｅｂ情報統合画面表示ボタンの操作によって自動的に表示されたのではなく、ユーザの操作によって表示されたＷｅｂ情報統合画面の表示時刻に応じて参照率を演算する。例えば、参照率演算部３２１は、１日を例えば複数の時間帯に分割し、各時間帯における各Ｗｅｂ情報統合画面の参照率を演算する。各時間帯の各Ｗｅｂ情報統合画面の参照率は記憶部１６に格納される。
【００３１】
キー情報取得部３１９は、Ｗｅｂ情報統合画面に表示されるＷｅｂページまたはＷｅｂクリップの中で、表示面積が大きいＷｅｂページまたはＷｅｂクリップから第１のキー情報を取得する。また、キー情報取得部３１９は、時間情報に応じた時間帯の各Ｗｅｂ情報統合画面の参照率を第２のキー情報として取得する。キー情報取得部１９は、第１のキー情報および第２のキー情報をＷｅｂ情報統合画面に関連付けて格納する。
【００３２】
例えば、図６（Ａ）、図６（Ｂ）、および図６（Ｃ）に示すＷｅｂ情報統合画面４０１、４０２、４０３に対応するＷｅｂ情報統合画面データが記憶部１６に格納されている場合を考える。キー情報取得部３１９は、Ｗｅｂ情報統合画面４０１に対応するＷｅｂ情報統合画面データの参照率として記憶部１６から２０％を取得し、２０％をＷｅｂ情報統合画面データに関連付けて記憶部１６に格納する。キー情報取得部１９は、Ｗｅｂ情報統合画面４０２に対応するＷｅｂ情報統合画面データの参照率として記憶部１６から６５％を取得し、６５％をＷｅｂ情報統合画面データに関連付けて記憶部１６に格納する。キー情報取得部１９は、Ｗｅｂ情報統合画面４０３に対応するＷｅｂ情報統合画面データの参照率として記憶部１６から１５％を取得し、１５％をＷｅｂ情報統合画面データに関連付けて記憶部１６に格納する。
【００３３】
表示画面特定部３２０は、制御部１２から送信された表示命令を受信した後に装置内情報取得部３１８から送信されたジャンルを受信すると、記憶部１６に格納されている各Ｗｅｂ情報統合画面データとジャンルとの関連度を算出する。表示画面特定部２０は、閾値より関連度が高いものがあるかを判定する。閾値より関連度が高い物があると判定した場合、表示画面特定部２０は、関連度が最も高いＷｅｂ情報統合画面データを選択する。閾値より関連度が高い物がないと判定した場合、表示画面特定部２０は、第２のキー情報として記憶部１６に格納された参照率の内から最も高い参照率に関連付けられているＷｅｂ情報統合画面を選択する。
【００３４】
装置内情報取得部３１８は、視聴中の番組のジャンルをＥＰＧデータから取得する（ステップ５０１）。装置内情報取得部３１８は、ジャンルを表示画面特定部３２０に送信する。装置内情報取得部３１８は、放送波に重畳されている時刻情報を取得する（ステップ５０２）。装置内情報取得部３１８は、時刻情報をキー情報取得部３１９に送信する。
【００３５】
キー情報取得部３１９は、記憶部１６からＷｅｂ情報統合画面データを読み出す（ステップ５０３）。キー情報取得部３１９は、Ｗｅｂ情報統合画面データに応じて表示されるＷｅｂ情報統合画面から最大面積のＷｅｂページまたはＷｅｂクリップを選択する（ステップ５０４）。選択されたＷｅｂページまたはＷｅｂクリップからキーワード（第１のキー情報）を取得する（ステップ５０５）。キー情報取得部３１９は、Ｗｅｂ情報統合画面データの現時刻の参照率を取得する（ステップ５０６）。キー情報取得部３１９は、キーワードを第１のキー情報とし、参照率を第２のキー情報として、Ｗｅｂ情報統合画面データに関連付けて記憶部１６に格納する（ステップ５０７）。キー情報取得部３１９は、全Ｗｅｂ情報統合画面データの第１および第２のキー情報を記憶部に書き込んだかを判定する（ステップ５０８）。
【００３６】
全Ｗｅｂ情報統合画面データからキー情報を取得したと判定した場合、表示画面特定部３２０は、記憶部１６からキー情報取得部３１９の第１および第２のキー情報を読み出す（ステップ５０９）。表示画面特定部３２０は、番組のジャンルと第１のキー情報とから関連度を算出する（ステップ５１０）。表示画面特定部３２０は、全Ｗｅｂ情報統合画面データに対して関連度が算出されたかを判定する（ステップ５１１）。全Ｗｅｂ情報統合画面データに対して関連度が算出されたと判定した場合、表示画面特定部３２０は、算出された関連度の内で一番高い関連度が閾値以上であるかを判定する（ステップ５１２）。閾値以上であると判定した場合（ステップ５１２のＹｅｓ）、算出された関連度の中から最も関連度が高いＷｅｂ情報統合画面データを選択する（ステップ５１３）。閾値以上ではないと判定した場合（ステップ５１２のＮｏ）、第２のキー情報として記憶部に格納された参照率の内から最も高い参照率に関連付けられているＷｅｂ情報統合画面データを選択する（ステップ５１４）。表示データ出力部２１は、選択されたＷｅｂ情報統合画面データに応じたＷｅｂ情報統合画面をディスプレイ３０に表示するためのデータを生成し、生成されたデータによってＷｅｂ情報統合画面がディスプレイ３０に表示される（ステップ５１５）。
【００３７】
Ｗｅｂ情報統合画面情報によって表示されるＷｅｂ情報統合画面内のＷｅｂページまたはＷｅｂクリップのサイト名と、視聴していた番組のジャンルとの関連度を生成し、一番高い関連度がしきい値以上の場合に関連度が一番高いＷｅｂ情報統合画面情報を選択し、一番高い関連度がしきい値より低い場合に参照率が最も高いＷｅｂ情報統合画面情報を選択し、選択したＷｅｂ情報統合画面情報に応じたＷｅｂ情報統合画面を表示することで、最適なＷｅｂ情報統合画面を表示させることが可能になる。
【００３８】
（キー情報の変形例）
キー情報の例を以下に示す。  
（１）Ｗｅｂ情報統合画面内の専有面積が最大のＷｅｂページまたはＷｅｂクリップ内の最頻出単語をキー情報とする。例えば、図８（Ａ）、図８（Ｂ）、および図８（Ｃ）に示すＷｅｂ情報統合画面６０１，６０２，６０３を例にして説明する。図８（Ａ）に示すＷｅｂ情報統合画面６０１内の専有面積が最大のＷｅｂページまたはＷｅｂクリップ６０１Ａ内の最頻出単語である野球をキー情報とする。また、図８（Ｂ）に示すＷｅｂ情報統合画面６０２は一つのＷｅｂページで構成されているので、Ｗｅｂ情報統合画面６０２内の最頻出単語である初芝をキー情報とする。図８（Ｃ）に示すＷｅｂ情報統合画面６０３内の専有面積が最大のＷｅｂページまたはＷｅｂクリップ６０３Ａ内の最頻出単語である山田太郎をキー情報とする。
【００３９】
（２）ユーザは、リモートコントローラ４０を操作することにより、Ｗｅｂ情報統合画面内の一つのＷｅｂページまたはＷｅｂクリップにフォーカスを当てることが可能である。フォーカスを当てた後に、ユーザがリモートコントローラ４０を操作することによって、テレビジョン受信機はフォーカスが当てられたＷｅｂページまたはＷｅｂクリップのみを表示する。テレビジョン受信機は最後にＷｅｂ情報統合画面が表示されたときにフォーカスが当てられたＷｅｂページまたはＷｅｂクリップのジャンルを記憶部１６に格納しておく。表示されていたＷｅｂページまたはＷｅｂクリップのジャンルは、単語とジャンルが関連付けられたデータベースを用意しておき、サイト名に関連付けられているジャンルをデータベースから検索する。
【００４０】
例えば、図９（Ａ）、図９（Ｂ）、および図９（Ｃ）に示すＷｅｂ情報統合画面７０１，７０２，７０３を例にして説明する。図９（Ａ）に示すＷｅｂ情報統合画面７０１内の最後にフォーカスが当てられていたＷｅｂページまたはＷｅｂクリップ７０１Ａのサイト名であるブンデスリーガに関連付けられているサッカーをキー情報とする。また、図９（Ｂ）に示すＷｅｂ情報統合画面６０２は一つのＷｅｂページで構成されているので、Ｗｅｂ情報統合画面７０２のサイト名である“hatsushiba.co.jp”に関連付けられている企業をキー情報とする。図９（Ｃ）に示すＷｅｂ情報統合画面６０３内の最後にフォーカスが当てられていたＷｅｂページまたはＷｅｂクリップ７０３Ａのサイト名である天気予報に関連付けられているニュースをキー情報とする。
【００４１】
（３）テレビジョン受信機は、Ｗｅｂ情報統合画面が表示されていないときに、Ｗｅｂ情報統合画面データに基づいてＷｅｂ情報統合画面内のＷｅｂページまたはＷｅｂクリップを配布するサイトにアクセスし、ＷｅｂページまたはＷｅｂクリップに含まれる情報が更新されている場合に更新日時を記憶部１６に格納する。記憶部１６に格納されている更新日時に基づいて最近更新されたＷｅｂページまたはＷｅｂクリップから取得されるキーワード（最頻出単語やサイト名）をキー情報とする。
【００４２】
例えば、図１０（Ａ）および図１０（Ｂ）に示すＷｅｂ情報統合画面８０１，８０２を例にして説明する。図１０（Ａ）に示すＷｅｂ情報統合画面８０１内の最近更新されたＷｅｂページまたはＷｅｂクリップ８０１Ａの最頻出単語である日経平均をキー情報とする。また、図１０（Ｂ）に示すＷｅｂ情報統合画面８０２内の最近更新されたＷｅｂページまたはＷｅｂクリップ８０２Ａの最頻出単語であるニュースをキー情報とする。
【００４３】
（４）テレビジョン受信機は、Ｗｅｂ情報統合画面内のＷｅｂページまたはＷｅｂクリップにフォーカスが当てられる度に各ＷｅｂページまたはＷｅｂクリップのフォーカスが当てられた頻度を演算し、各ＷｅｂページまたはＷｅｂクリップの頻度を記憶部１６に格納する。頻度が最も高いＷｅｂページまたはＷｅｂクリップ内から取得されるキーワード（最頻出単語やサイト名）をキー情報とする。
【００４４】
例えば、図１１（Ａ）および図１１（Ｂ）に示すＷｅｂ情報統合画面９０１，９０２を例にして説明する。図１１（Ａ）に示すＷｅｂ情報統合画面９０１内の頻度が高いＷｅｂページまたはＷｅｂクリップ９０１Ａのサイト名であるプロ野球速報をキー情報とする。また、図１１（Ｂ）に示すＷｅｂ情報統合画面９０２内の頻度が高いＷｅｂページまたはＷｅｂクリップ９０２Ａのサイト名である天気情報をキー情報とする。
【００４５】
（５）テレビジョン受信機は、Ｗｅｂ情報統合画面内のＷｅｂページまたはＷｅｂクリップにフォーカスが当てられる度に、フォーカスが当てられた時刻を含む時間帯における各ＷｅｂページまたはＷｅｂクリップのフォーカスが当てられた頻度を演算し、各ＷｅｂページまたはＷｅｂクリップの頻度を記憶部１６に格納する。Ｗｅｂ情報統合画面の表示が命令された時刻を含む時間帯における頻度が最も高いＷｅｂページまたはＷｅｂクリップ内から取得されるキーワード（最頻出単語やサイト名）をキー情報とする。
【００４６】
例えば、図１２（Ａ）および図１２（Ｂ）に示すＷｅｂ情報統合画面１００１，１００２を例にして説明する。図１２（Ａ）に示すＷｅｂ情報統合画面１００１内の頻度が高いＷｅｂページまたはＷｅｂクリップ１００１Ａのサイト名である“ニュース．ｃｏｍ”をキー情報とする。また、図１２（Ｂ）に示すＷｅｂ情報統合画面１００２内の頻度が高いＷｅｂページまたはＷｅｂクリップ１００２Ａのサイト名である“天気情報”をキー情報とする。
【００４７】
（６）テレビジョン受信機は、Ｗｅｂ情報統合画面データが生成された日時をキー情報とする。日時をキー情報とする場合、Ｗｅｂ情報統合画面の表示が命令された時刻にＷｅｂ情報統合画面データの生成時刻が最も近いＷｅｂ情報統合画面データを選択する。
【００４８】
例えば、図１３（Ａ）、図１３（Ｂ）、および図１３（Ｃ）に示すＷｅｂ情報統合画面１１０１，１１０２，１１０３を例にして説明する。図１３（Ａ）に示すＷｅｂ情報統合画面１１０１に対応するＷｅｂ情報統合画面データの生成時刻である“２０１０／３／４”をキー情報とする。また、図１３（Ｂ）に示すＷｅｂ情報統合画面１１０２に対応するＷｅｂ情報統合画面データの生成時刻である“２０１１／１／３０”をキー情報とする。また、図１３（Ｃ）に示すＷｅｂ情報統合画面１１０３に対応するＷｅｂ情報統合画面データの生成時刻である“２０１０／１０／１０”をキー情報とする。
【００４９】
また、放送されていた番組の出演者の出演時刻情報を装置内情報とし、Ｗｅｂ情報統合画面データの最終アクセス時刻をＷｅｂ情報統合画面データのキー情報としても良い。この場合、以下の手順でＷｅｂ情報統合画面データを選択する。
【００５０】
１．出演者の出演番組を検索
２．出演番組の放送時間を検索（複数ある場合は適当な方法で１つの時間帯を取得）
３．Ｗｅｂ情報統合画面データの最終アクセス時刻の時間帯と放送時間帯が近いＷｅｂ情報統合画面データを選択する。
【００５１】
（装置内情報の例）
以下に装置内情報の例を示す。
【００５２】
１．直前まで視聴していた番組のＥＰＧデータ
２．Ｗｅｂ情報統合画面の表示命令を受信したときの時刻
３．番組のデータをハードディスクドライブ等の記憶装置に記録することが可能な場合、記憶装置に記録されている番組の名称やジャンル
４．視聴頻度の高いジャンルや番組
５．ＥＰＧデータを用いた検索時に使用されたキーワードやジャンル
６．ＥＰＧデータを用いて検索された番組の情報（番組名、ジャンル、出演者等）
７．検索サイトを用いて検索された番組の情報（番組名やジャンル）
８．検索サイト用いて検索されたサイトの情報
９．Ｗｅｂ情報統合画面の表示命令を受信したときに表示されていたオブジェクト
１０．Ｗｅｂ情報統合画面の表示命令を受信したときに視聴していた番組データに含まれる音声データから音声認識によって取り出された文字データ
なお、テレビジョン受信機１０は、プログラムを実行するプロセッサを備えており、コンピュータの一種である。  
なお、本実施形態の情報統合画面を表示する処理の手順は全てソフトウェアによって実行することができる。このため、情報統合画面を表示する処理の手順を実行するプログラムを格納したコンピュータ読み取り可能な記憶媒体を通じてこのプログラムを通常のコンピュータにインストールして実行するだけで、本実施形態と同様の効果を容易に実現することができる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…テレビジョン受信機、１１…操作信号受信部、１２…制御部、１３…ネットワークＩ／Ｆ部、１４…Ｗｅｂ情報解析部、１５…情報統合画面生成部、１６…記憶部、１７…放送データ受信部、１８…装置内情報取得部、１９…キー情報取得部、２０…表示画面特定部、２１…表示データ出力部、３０…ディスプレイ、４０…リモートコントローラ。
【図１】
0005450753.tif 000002
【図２】
0005450753.tif 000003
【図３】
0005450753.tif 000004
【図４】
0005450753.tif 000005
【図５】
0005450753.tif 000006
【図６】
0005450753.tif 000007
【図７】
0005450753.tif 000008
【図８】
0005450753.tif 000009
【図９】
0005450753.tif 000010
【図１０】
0005450753.tif 000011
【図１１】
0005450753.tif 000012
【図１２】
0005450753.tif 000013
【図１３】
0005450753.tif 000014